(57)【要約】【課題】テレビジョン装置と光ディスク装置とがＨＤＭＩ接続されているシステムにおいて、ＣＥＣコマンドを利用して光ディスク装置に対してレジューム機能を提供する。【解決手段】テレビジョン装置１、光ディスク装置２、及びテレビジョン装置１と光ディスク装置２との間で映像データ及びＣＥＣコマンドを送受信するためのＨＤＭＩを備える。テレビジョン装置１はＳｔｏｐコマンド又はＰｌａｙコマンドをＨＤＭＩにより光ディスク装置２に送信する（Ｓ２０４、Ｓ２１２）。光ディスク装置２は、映像再生中にＳｔｏｐコマンドを受信した場合、Ｓｔｏｐコマンドに従って映像再生を停止すると共にレジューム情報を取得する（Ｓ２０７）。一方、Ｐｌａｙコマンドを受信した場合、レジューム情報に基づいて映像停止位置から再生を開始する（Ｓ２１４）。【選択図】図９
2011250112.tif 000002
【特許請求の範囲】
【請求項１】
記録媒体に記録されたデータを再生する再生装置及び該再生装置により再生されたデータを出力する出力装置を備え、該再生装置と該出力装置との間でデータ及び指令の送受信を行うデータ再生システムにおいて、
該出力装置は、
前記再生装置によるデータの再生中又は再生停止中に該再生装置に対する再生停止指令又は再生開始指令をそれぞれ受け付ける受け付け手段と、
該受け付け手段が受け付けた再生停止指令又は再生開始指令を送信する手段と
を備え、
前記再生装置は、
データの再生中に再生停止指令を受信した場合、該データの再生を停止する停止手段と、
該停止手段により再生停止されたデータの再生停止前の再生に関するデータを記憶する記憶手段と、
データの再生停止中に再生開始指令を受信した場合、該記憶手段に記憶されている再生に関するデータに基づき再生を行う再生手段と
を備えることを特徴とするデータ再生システム。
【請求項２】
前記再生装置は複数あり、
前記出力装置にデータを送信する再生装置を切り替える切り替え指令を前記受け付け手段が受け付けた場合、前記出力装置は、再生停止指令を切り替え前の再生装置に送信するようにしてあることを特徴とする請求項１記載のデータ再生システム。
【請求項３】
前記記憶手段が記憶する再生に関するデータは、前記再生装置が再生を停止したデータにおけるアドレス又は時間情報であり、
前記再生手段は、前記アドレス又は時間情報に基づき再生を開始するようにしてあることを特徴とする請求項１又は２記載のデータ再生システム。
【請求項４】
記録媒体に記録されたデータを再生する再生装置及び該再生装置により再生されたデータを出力する出力装置を備え、該再生装置と該出力装置との間でデータ及び指令の送受信を行うデータ再生システムにおいて、
前記出力装置は、
前記再生装置によるデータの再生中又は再生停止中に該再生装置に対する再生停止指令又は再生開始指令をそれぞれ受け付ける受け付け手段と、
該受け付け手段が受け付けた再生停止指令又は再生開始指令を前記再生装置に送信し、前記再生装置により再生停止されたデータの再生停止前の再生に関するデータを受信する通信手段と、
該通信手段が受信した再生に関するデータを記憶する記憶手段と
を備え、
前記再生装置は、
データの再生中に再生停止指令を受信した場合、該データの再生を停止する停止手段を備え、
前記再生装置は、前記停止手段により再生停止されたデータの再生停止前の再生に関するデータを前記出力装置に送信するようにしてあり、
前記出力装置は、前記受け付け手段が前記再生装置に対する再生開始指令を受け付けた場合、前記記憶手段に記憶されている再生に関するデータを前記再生装置に送信するようにしてあり、
前記再生装置は、前記出力装置から送信された再生に関するデータに基づき再生を行うようにしてあることを特徴とするデータ再生システム。
【請求項５】
前記再生装置は複数あり、
前記出力装置にデータを送信する再生装置を切り替える切り替え指令を前記受け付け手段が受け付けた場合、前記出力装置は、再生停止指令を切り替え前の再生装置に送信するようにしてあることを特徴とする請求項４記載のデータ再生システム。
【請求項６】
前記記憶手段が記憶する再生に関するデータは、前記再生装置が再生を停止したデータにおけるアドレス又は時間情報であり、
前記再生装置は、前記アドレス又は時間情報に基づき再生を開始するようにしてあることを特徴とする請求項４又は５記載のデータ再生システム。
【請求項７】
前記再生装置及び前記出力装置はＨＤＭＩに従ってデータ及び指令の送受信を行い、前記再生停止指令及び再生開始指令はＣＥＣコマンドであり、前記再生装置及び前記出力装置はＨＤＭＩケーブルで接続されるようにしてあることを特徴とする請求項１から６のいずれか１項記載のデータ再生システム。
【請求項８】
記録媒体に記録されたデータを再生し、外部との間でデータ及び指令を送受信する再生装置において、
データの再生中に外部から再生停止指令を受信した場合、データの再生を停止する停止手段を備え、
該停止手段により再生停止されたデータの再生停止前の再生に関するデータを外部に送信するようにしてあり、
データの再生停止中に外部から再生開始指令及び再生に関するデータを受信した場合、受信した再生に関するデータに基づき再生を行うようにしてあることを特徴とする再生装置。
【請求項９】
記録媒体に記録されたデータを再生する再生部及び該再生部により再生されたデータを出力する出力部を備え、該再生部と該出力部との間でデータ及び指令の送受信を行う再生装置において、
前記出力部は、
前記再生部によるデータの再生中又は再生停止中に該再生部に対する再生停止指令又は再生開始指令をそれぞれ受け付ける受け付け手段と、
該受け付け手段が受け付けた再生停止指令又は再生開始指令を送信する手段と
を備え、
前記再生部は、
データの再生中に再生停止指令を受信した場合、該データの再生を停止する停止手段と、
該停止手段により再生停止されたデータの再生停止前の再生に関するデータを記憶する記憶手段と、
データの再生停止中に再生開始指令を受信した場合、該記憶手段に記憶されている再生に関するデータに基づき再生を行う手段と
を備えることを特徴とする再生装置。
【請求項１０】
記録媒体に記録されたデータを再生する再生部及び該再生部により再生されたデータを出力する出力部を備え、該再生部と該出力部との間でデータ及び指令の送受信を行う再生装置において、
前記出力部は、
前記再生部によるデータの再生中又は再生停止中に該再生部に対する再生停止指令又は再生開始指令をそれぞれ受け付ける受け付け手段と、
該受け付け手段が受け付けた再生停止指令又は再生開始指令を前記再生部に送信し、前記再生部により再生停止されたデータの再生停止前の再生に関するデータを受信する通信手段と、
該通信手段が受信した再生に関するデータを記憶する記憶手段と
を備え、
前記再生部は、
データの再生中に再生停止指令を受信した場合、該データの再生を停止する停止手段を備え、
前記再生部は、前記停止手段により再生停止されたデータの再生停止前の再生に関するデータを前記出力部に送信するようにしてあり、
前記出力部は、前記受け付け手段が前記再生部に対する再生開始指令を受け付けた場合、前記記憶手段に記憶されている再生に関するデータを前記再生部に送信するようにしてあり、
前記再生部は、前記出力部から送信された再生に関するデータに基づき再生を行うようにしてあることを特徴とする再生装置。
【請求項１１】
記録媒体に記録されたデータを再生し、外部との間でデータ及び指令を送受信する再生装置において、
データの再生中又は再生停止中に再生停止指令又は再生開始指令をそれぞれ受け付ける受け付け手段と、
該受け付け手段が受け付けた再生停止指令又は再生開始指令を外部に送信する送信手段と、
データの再生中に前記受け付け手段が再生停止指令を受け付けた場合、データの再生を停止する停止手段と
を備え、
前記送信手段は、前記停止手段により再生停止されたデータの再生停止前の再生に関するデータを外部に送信するようにしてあり、
データの再生停止中に前記受け付け手段が再生開始指令を受け付けた場合、外部から受信した再生に関するデータに基づき再生を行うようにしてあることを特徴とする再生装置。
【発明の詳細な説明】
【技術分野】
【０００１】
本発明は、データ再生システム及び再生装置に関する。
【背景技術】
【０００２】
ＡＶ（Audio Visual）機器向けの映像・音声入出力デジタルインタフェース規格としてＨＤＭＩ（High-Definition Multimedia Interface）規格が制定され、ＨＤＭＩ規格に対応したテレビジョン装置、光ディスク装置等のＡＶ機器が実用化されている。ＨＤＭＩ規格は、ＨＤＭＩ規格に準拠した１本のＨＤＭＩケーブルを介して映像データ及び音声データを、ＨＤＭＩ規格に準拠したＨＤＭＩデータとして送受信する機能に加え、機器制御コマンドであるＣＥＣ（Consumer electronic control）コマンドを送受信し当該コマンドにしたがって機器制御を行う機能を有する。ＨＤＭＩ規格によれば、各ＡＶ機器は、このＣＥＣコマンドを送受信することによって互いに連携して機器の制御を行うことができる（特許文献１参照）。
【０００３】
ＨＤＭＩ規格に対応したテレビジョン装置及び光ディスク装置をＨＤＭＩ端子及びＨＤＭＩケーブルを介して接続した場合、テレビジョン装置は、光ディスク装置から映像データ及び音声データを含むＨＤＭＩデータを受け取り、受け取ったＨＤＭＩデータに従って映像をディスプレイに表示すると共に音声をスピーカから出力する。一般的に、ＨＤＭＩ規格に対応した複数のデジタルＡＶ機器で映像及び音声の視聴を行う際、ユーザは、機器毎のリモコンの持ち替え又はリモコン毎に異なるボタン操作を行う必要があるが、ＨＤＭＩ規格を採用する機器にあっては、１つのリモコンを操作するだけで済むため、ユーザは簡単なリモコン操作で手軽にテレビ放送及び、光ディスクに記録された映像及び音声を鑑賞することができる。
【０００４】
ユーザがテレビジョン装置用のリモコンを操作するとテレビジョン装置に操作信号が送信される。その操作信号を受信したテレビジョン装置は、自装置又は自装置にＨＤＭＩ接続されている機器に対して機器制御を実行する。例えば光ディスク装置がＨＤＭＩケーブルを介してテレビジョン装置の外部入力１に接続されている場合、テレビジョン装置は、自装置のリモコンから受信した操作信号に基づいて光ディスク装置に対する機器制御を実行することができる。すなわち、ユーザは、以下に述べるように、テレビジョン装置のリモコンを操作することで光ディスク装置に対する機器制御を実行できる。
【０００５】
テレビジョン装置がテレビジョン装置用のリモコンから光ディスク装置に係わる再生指示信号を受信すると、テレビジョン装置は、ＨＤＭＩケーブルを介して光ディスク装置に再生指示コマンドを送信する。再生指示コマンドはＣＥＣコマンドの一種である。光ディスク装置は、再生指示コマンドを受信すると、テレビジョン装置に対して、外部入力を例えば外部入力１へ切り替えさせる切り替えコマンドを送信する。切り替えコマンドもまたＣＥＣコマンドの一種である。次いで、テレビジョン装置は、切り替えコマンドにしたがって外部入力を外部入力１に切り替えた後、光ディスク装置は、映像及び音声データを含むＨＤＭＩデータをテレビジョン装置に送信する。光ディスク装置から映像データ及び音声データを受信したテレビジョン装置は、受信した映像及び音声データに従って映像をディスプレイに表示し、また、音声をスピーカから出力する。このように、ＨＤＭＩ規格のＣＥＣ機能によれば、ユーザは、テレビジョン装置用のリモコンを用いて光ディスク装置の再生動作を制御でき、操作性が向上する。
【０００６】
一方、ＣＥＣ機能によれば、光ディスク装置の電源をオンにした場合、テレビジョン装置の電源も連動してオンになると共に、テレビジョン装置の外部入力が外部入力１に自動的に切り替えることができる。
【先行技術文献】
【特許文献】
【０００７】
【特許文献１】特開２００８−７２４１９号公報
【発明の概要】
【発明が解決しようとする課題】
【０００８】
上述した通り、ＨＤＭＩ規格のＣＥＣ機能に従えば、テレビジョン装置の電源状態を光ディスク装置の電源状態に連動させて切り替えることができる。すなわち、ＣＥＣ機能を用いれば、光ディスク装置の電源をオンにすることでテレビジョン装置の電源もオンにすることができ、更にはテレビジョン装置の外部入力を光ディスク装置側に切り換えることもできる。しかし、光ディスクの再生中にテレビジョン装置の外部入力を別の機器側に切り換えたときに、光ディスク装置の再生動作を停止することはできず、さらには、再生動作を停止した後に光ディスク装置の再生を再び開始することをユーザが望む場合、再生停止位置から再び映像及び音声を再生させることができないという課題を有する。
【０００９】
本発明は斯かる事情に鑑みてなされたものであり、その目的は、光ディスク装置等の再生装置がテレビジョン装置等の出力装置にＨＤＭＩ等のデジタルインタフェースで接続されているＡＶ環境において、光ディスク等の記録媒体の再生を停止し、出力装置の外部入力を別の機器に切り替え当該機器を利用した後、更に記録媒体の再生を再び開始した場合においても、再生停止位置から再び映像及び音声データ等のデータの再生を開始させる機能を実現できるデータ再生システム及び再生装置を提供することにある。
【課題を解決するための手段】
【００１０】
本発明のデータ再生システムは、記録媒体に記録されたデータを再生する再生装置及び該再生装置により再生されたデータを出力する出力装置を備え、該再生装置と該出力装置との間でデータ及び指令の送受信を行うデータ再生システムにおいて、該出力装置は、前記再生装置によるデータの再生中又は再生停止中に該再生装置に対する再生停止指令又は再生開始指令をそれぞれ受け付ける受け付け手段と、該受け付け手段が受け付けた再生停止指令又は再生開始指令を送信する手段とを備え、前記再生装置は、データの再生中に再生停止指令を受信した場合、該データの再生を停止する停止手段と、該停止手段により再生停止されたデータの再生停止前の再生に関するデータを記憶する記憶手段と、データの再生停止中に再生開始指令を受信した場合、該記憶手段に記憶されている再生に関するデータに基づき再生を行う再生手段とを備えることを特徴とする。
【００１１】
本発明にあっては、出力装置の受け付け手段が受け付けた再生停止指令又は再生開始指令を再生装置に送信する。一方、出力装置は、再生中に再生停止指令を受信した場合、再生を停止すると共に再生停止前の再生に関するデータを記憶する。したがって、再生装置は再生開始指令を受信した場合、再生停止前の再生に関するデータに基づいて再生を行うレジュームを実現できる。
【００１２】
本発明のデータ再生システムにおいて、前記再生装置は複数あり、前記出力装置にデータを送信する再生装置を切り替える切り替え指令を前記受け付け手段が受け付けた場合、前記出力装置は、再生停止指令を切り替え前の再生装置に送信するようにしてあることを特徴とする。
【００１３】
本発明にあっては、出力装置にデータを送信する再生装置が他の装置に切り替えられた場合、出力装置は再生装置に再生停止指令を送信することにより再生を停止させることができる。
【００１４】
本発明のデータ再生システムにおいて、前記記憶手段が記憶する再生に関するデータは、前記再生装置が再生を停止したデータにおけるアドレス又は時間情報であり、前記再生手段は、前記アドレス又は時間情報に基づき再生を開始するようにしてあることを特徴とする。
【００１５】
本発明にあっては、再生装置は再生を停止したデータにおけるアドレス又は時間情報を記憶しているため、次に再生開始指令を受信した場合、記憶しているアドレス又は時間情報に基づき、再生を停止した位置から再生を開始することができる。
【００１６】
本発明のデータ再生システムは、記録媒体に記録されたデータを再生する再生装置及び該再生装置により再生されたデータを出力する出力装置を備え、該再生装置と該出力装置との間でデータ及び指令の送受信を行うデータ再生システムにおいて、前記出力装置は、前記再生装置によるデータの再生中又は再生停止中に該再生装置に対する再生停止指令又は再生開始指令をそれぞれ受け付ける受け付け手段と、該受け付け手段が受け付けた再生停止指令又は再生開始指令を前記再生装置に送信し、前記再生装置により再生停止されたデータの再生停止前の再生に関するデータを受信する通信手段と、該通信手段が受信した再生に関するデータを記憶する記憶手段とを備え、前記再生装置は、データの再生中に再生停止指令を受信した場合、該データの再生を停止する停止手段を備え、前記再生装置は、前記停止手段により再生停止されたデータの再生停止前の再生に関するデータを前記出力装置に送信するようにしてあり、前記出力装置は、前記受け付け手段が前記再生装置に対する再生開始指令を受け付けた場合、前記記憶手段に記憶されている再生に関するデータを前記再生装置に送信するようにしてあり、前記再生装置は、前記出力装置から送信された再生に関するデータに基づき再生を行うようにしてあることを特徴とする。
【００１７】
本発明にあっては、出力装置の受け付け手段が受け付けた再生停止指令又は再生開始指令を再生装置に送信する。一方、再生装置は、再生中に再生停止指令を受信した場合、受信した再生停止指令に従って再生を停止すると共に再生停止前の再生に関するデータを出力装置に送信し、出力装置は当該データを記憶する。そして、出力装置は、次に再生装置に対して再生を行わせようとする際には、再生開始指令と共に当該データを再生装置に送信する。したがって、レジューム機能を有さない再生装置であっても、再生停止前の再生に関するデータに基づいて再生を行うレジュームを実現できる。
【００１８】
本発明のデータ再生システムにおいて、前記再生装置は複数あり、前記出力装置にデータを送信する再生装置を切り替える切り替え指令を前記受け付け手段が受け付けた場合、前記出力装置は、再生停止指令を切り替え前の再生装置に送信するようにしてあることを特徴とする。
【００１９】
本発明にあっては、出力装置にデータを送信する再生装置が他の装置に切り替えられた場合、出力装置は再生装置に対して再生停止指令を送信することにより再生装置による再生を停止させることができる。
【００２０】
本発明のデータ再生システムにおいて、前記記憶手段が記憶する再生に関するデータは、前記再生装置が再生を停止したデータにおけるアドレス又は時間情報であり、前記再生装置は、前記アドレス又は時間情報に基づき再生を開始するようにしてあることを特徴とする。
【００２１】
本発明にあっては、再生装置は出力装置から再生を停止したデータにおけるアドレス又は時間情報を受信するため、再生を停止した位置から再生を開始することができる。
【００２２】
本発明のデータ再生システムにおいて、前記再生装置及び前記出力装置はＨＤＭＩに従ってデータ及び指令の送受信を行い、前記再生停止指令及び再生開始指令はＣＥＣコマンドであり、前記再生装置及び前記出力装置はＨＤＭＩケーブルで接続されるようにしてあることを特徴とする。
【００２３】
本発明にあっては、ＨＤＭＩ−ＣＥＣを適用しているため、複数の機器を操作するユーザは面倒なリモコンの持ち替え及び複雑なボタン操作を行わなくてもよい。
【００２４】
本発明の再生装置は、記録媒体に記録されたデータを再生し、外部との間でデータ及び指令を送受信する再生装置において、データの再生中に外部から再生停止指令を受信した場合、データの再生を停止する停止手段を備え、該停止手段により再生停止されたデータの再生停止前の再生に関するデータを外部に送信するようにしてあり、データの再生停止中に外部から再生開始指令及び再生に関するデータを受信した場合、受信した再生に関するデータに基づき再生を行うようにしてあることを特徴とする。
【００２５】
本発明にあっては、再生装置は、データ再生中に再生停止指令を受信した場合、受信した再生停止指令に従ってデータの再生を停止すると共に再生停止前の再生に関するデータを外部に送信する。そして、再生装置は、外部から再生開始指令と共に当該データを受信する。したがって、レジューム機能を有さない再生装置であっても、再生を停止した位置からデータの再生を行うレジュームを実現できる。
【００２６】
本発明の再生装置は、記録媒体に記録されたデータを再生する再生部及び該再生部により再生されたデータを出力する出力部を備え、該再生部と該出力部との間でデータ及び指令の送受信を行う再生装置において、前記出力部は、前記再生部によるデータの再生中又は再生停止中に該再生部に対する再生停止指令又は再生開始指令をそれぞれ受け付ける受け付け手段と、該受け付け手段が受け付けた再生停止指令又は再生開始指令を送信する手段とを備え、前記再生部は、データの再生中に再生停止指令を受信した場合、該データの再生を停止する停止手段と、該停止手段により再生停止されたデータの再生停止前の再生に関するデータを記憶する記憶手段と、データの再生停止中に再生開始指令を受信した場合、該記憶手段に記憶されている再生に関するデータに基づき再生を行う手段とを備えることを特徴とする。
【００２７】
本発明にあっては、出力部と再生部が一体化された再生装置においてレジュームを実現できる。
【００２８】
本発明の再生装置は、記録媒体に記録されたデータを再生する再生部及び該再生部により再生されたデータを出力する出力部を備え、該再生部と該出力部との間でデータ及び指令の送受信を行う再生装置において、前記出力部は、前記再生部によるデータの再生中又は再生停止中に該再生部に対する再生停止指令又は再生開始指令をそれぞれ受け付ける受け付け手段と、該受け付け手段が受け付けた再生停止指令又は再生開始指令を前記再生部に送信し、前記再生部により再生停止されたデータの再生停止前の再生に関するデータを受信する通信手段と、該通信手段が受信した再生に関するデータを記憶する記憶手段とを備え、前記再生部は、データの再生中に再生停止指令を受信した場合、該データの再生を停止する停止手段を備え、前記再生部は、前記停止手段により再生停止されたデータの再生停止前の再生に関するデータを前記出力部に送信するようにしてあり、前記出力部は、前記受け付け手段が前記再生部に対する再生開始指令を受け付けた場合、前記記憶手段に記憶されている再生に関するデータを前記再生部に送信するようにしてあり、前記再生部は、前記出力部から送信された再生に関するデータに基づき再生を行うようにしてあることを特徴とする。
【００２９】
本発明にあっては、出力部と、レジューム機能を有さない再生部が一体化された再生装置においてレジュームを実現できる。
【００３０】
本発明の再生装置は、記録媒体に記録されたデータを再生し、外部との間でデータ及び指令を送受信する再生装置において、データの再生中又は再生停止中に再生停止指令又は再生開始指令をそれぞれ受け付ける受け付け手段と、該受け付け手段が受け付けた再生停止指令又は再生開始指令を外部に送信する送信手段と、データの再生中に前記受け付け手段が再生停止指令を受け付けた場合、データの再生を停止する停止手段とを備え、前記送信手段は、前記停止手段により再生停止されたデータの再生停止前の再生に関するデータを外部に送信するようにしてあり、データの再生停止中に前記受け付け手段が再生開始指令を受け付けた場合、外部から受信した再生に関するデータに基づき再生を行うようにしてあることを特徴とする。
【００３１】
本発明にあっては、レジューム機能を有さない再生装置であっても、外部装置から受け取った再生に関するデータに基づいてレジュームを実現できる。
【発明の効果】
【００３２】
本発明によれば、光ディスク装置、磁気ディスク等の再生装置がテレビジョン装置、モニタ装置、プロジェクタ装置等の出力装置に接続され、それらの装置が連携動作を行う場合において、出力装置を介して再生装置に対してレジューム機能を提供することができる。
【図面の簡単な説明】
【００３３】
【図１】実施の形態１に係るデータ再生システムの外観例を示す説明図である。
【図２】テレビジョン装置及び光ディスク装置の内部構成例を示すブロック図である。
【図３】テレビジョン装置用のリモコンの操作によって、テレビジョン装置にＨＤＭＩ接続されている光ディスク装置の操作を実現する機能を示す説明図である。
【図４】光ディスク装置の再生ボタンに連動して、光ディスク装置にＨＤＭＩ接続されているテレビジョン装置の電源をオンにする機能を示す説明図である。
【図５】テレビジョン装置の電源をオフにすると、テレビジョン装置にＨＤＭＩ接続された光ディスク装置も連動して電源オフにする機能を示す説明図である。
【図６】テレビジョン装置用のリモコンの外観例を示す説明図である。
【図７】テレビジョン装置に表示されるメニュー画面の一例を示す説明図である。
【図８】光ディスクの再生時に、テレビジョン装置用のリモコン、テレビジョン装置及び光ディスク装置間で送受信される操作信号、映像及び音声データ、ＣＥＣコマンド等の処理の流れの一例を模式的に示すフローチャートである。
【図９】光ディスクの再生停止時に、テレビジョン装置用のリモコン、テレビジョン装置及び光ディスク装置間で送受信される操作信号、映像及び音声データ、ＣＥＣコマンド等の処理の流れの一例を模式的に示すフローチャートである。
【図１０】実施の形態２に係るデータ再生システムの外観例を示す説明図である。
【図１１】光ディスクの再生時に、テレビジョン装置用のリモコン、テレビジョン装置及び光ディスク装置間で送受信される操作信号、映像及び音声データ、ＣＥＣコマンド等の処理の流れの一例を模式的に示すフローチャートである。
【図１２】光ディスクの再生停止時に、テレビジョン装置用のリモコン、テレビジョン装置及び光ディスク装置間で送受信される操作信号、映像及び音声データ、ＣＥＣコマンド等の処理の流れの一例を模式的に示すフローチャートである。
【発明を実施するための形態】
【００３４】
以下、図面を参照して実施の形態を具体的に説明する。
実施の形態１
図１は、実施の形態１に係るデータ再生システムの外観例を示す説明図である。データ再生システムにおいては、例として、テレビジョン装置（出力装置）１及び光ディスク装置（再生装置）２はＨＤＭＩケーブル４を介して接続されている。また、テレビジョン装置１は、ユーザが操作するテレビジョン装置１用のリモートコントローラ（以下、リモコンとよぶ。）３から操作指示を受信する構成になっている。
【００３５】
図２は、テレビジョン装置及び光ディスク装置の内部構成例を示すブロック図である。
まず、光ディスク装置２の内部構成例について説明する。
光ディスク装置２は、制御部２１、ＨＤＭＩ通信部２３、ＨＤＭＩ端子２４、リモコン受信部２５、処理部２６、ＨＤＤ（Hard Disk Drive）２７、光ディスクドライブ２８及び操作部２９を備える。
【００３６】
制御部２１は、図には示さないが、光ディスク装置２の制御プログラムを実行するＣＰＵ、当該プログラムの実行に伴うデータを記憶する揮発性メモリ又は不揮発性メモリ、当該プログラムを記憶する不揮発性メモリ等を備え、制御部２１は、当該プログラムに従って光ディスク装置２の各部の動作を制御する。
【００３７】
また制御部２１は、ユーザが操作する光ディスク装置２用のリモコン（図示せず）からの信号を受信するリモコン受信部２５を有する。例えば、ユーザが光ディスク装置２用のリモコンの再生停止ボタンを押下した場合、光ディスク装置２の再生停止を指示する再生停止信号（再生停止指令）が光ディスク装置２へ送信される。再生停止信号を受信したリモコン受信部２５は、受信した再生停止信号に基づいてＳｔｏｐコマンドを生成し、制御部２１に与える。再生停止コマンドを受け取った制御部２１は、光ディスク装置２を停止状態にする。停止状態においては、ＨＤＭＩ通信部２３は、ＨＤＭＩデータの送受信を停止するが、制御部２１は、テレビジョン装置１との間でＣＥＣコマンドの送受信を継続する。
【００３８】
光ディスク装置２が停止状態において、その制御部２１がテレビジョン装置１からＣＥＣコマンドを受け取った場合、制御部２１は、受け取ったＣＥＣコマンドに従って光ディスク装置２の各部の動作に対する制御を開始する。例えば、光ディスク装置２の停止状態において、制御部２１が光ディスク装置２の動作開始を指示するＣＥＣコマンドを受け取った場合、制御部２１は、光ディスク装置２の各部の動作に対する制御を開始する。
【００３９】
実施の形態１において、制御部２１は、光ディスク装置２の再生中に再生動作を停止し、再び、再生動作を再開した場合、再生停止位置から再生を再開させるためのレジューム機能を搭載するものとする。レジューム機能については後述する。
尚、光ディスク装置２は、ユーザの操作を、光ディスク用のリモコンを介さず直接受け付ける操作部２９を有する。操作部２９は、押下ボタン類、スイッチ類、インジケータ類等を含む操作部２９を有する。
【００４０】
光ディスクドライブ２８は、光ディスクドライブ２８に装填された光ディスク（不図示）に対する映像及び音声データの記録処理及び読み取り処理を行う。一方、ＨＤＤ２７は、内蔵するハードディスク（不図示）に対するデータの記録処理及び読み取り処理を行う。
【００４１】
処理部２６は、光ディスクから読み取ったデータに対して映像処理及び音声処理を施す。例えば、処理部２６は、光ディスクドライブ２８又はＨＤＤ２７が光ディスク又はハードディスクから読み取ったデータをデコードして映像及び音声データを生成する処理を行う。また、処理部２６は、光ディスク又はハードディスクに記録するため、映像及び音声データをエンコードする処理を行う。処理部２６によってエンコードされた映像及び音声データは、光ディスクドライブ２８又はＨＤＤ２７の制御を受け、光ディスク又はハードディスクに記録される。
【００４２】
ＨＤＭＩ通信部２３は、ＨＤＭＩデータの通信に係わる処理を実行する。ＨＤＭＩ通信部２３は、処理部２６が生成した映像及び音声データに基づきＨＤＭＩデータを生成し、生成したＨＤＭＩデータをテレビジョン装置１に送信する処理を実行する。ＨＤＭＩ通信部２３には、ＨＤＭＩ端子２４が接続され、ＨＤＭＩ端子２４は制御部２１に接続されている。光ディスク装置２及びテレビジョン装置１のデジタルインタフェースであるＨＤＭＩは、複数のチャンネルを有しており、映像及び音声データはＴＭＤＳ（Transition Minimized Differential Signaling）チャンネルを使用して送受信される。
【００４３】
ＨＤＭＩ通信部２３は、ＨＤＭＩケーブル４及びＨＤＭＩ端子２４を介して、ＨＤＭＩデータをテレビジョン装置１に送信する。一方、制御部２１は、ＨＤＭＩ端子２４を介してテレビジョン装置１との間でＣＥＣコマンドを送受信する。ここで、ＨＤＭＩ端子２４及びＨＤＭＩケーブルは、ＨＤＭＩデータとＣＥＣコマンドとを互いに分離して送信する構成、すなわち、ＨＤＭＩケーブルには内部に単線シリアルのＣＥＣ線が含まれ、ＣＥＣコマンドはそのＣＥＣ線を介して送受信される構成になっている。
【００４４】
ＨＤＤ又は光ディスクに録画されているコンテンツをユーザがテレビジョン装置１で視聴する場合、処理部２６は、ＨＤＤ２７又は光ディスクドライブ２８がハードディスク又は光ディスクから読み取ったデータから映像及び音声データを生成し、ＨＤＭＩ通信部に与える。ＨＤＭＩ通信部２３は、処理部２６が与えられた映像及び音声データをＨＤＭＩデータに変換し、ＨＤＭＩ端子２４及びＨＤＭＩケーブルを介してテレビジョン装置１へ送信する。
【００４５】
引き続いて、テレビジョン装置１の内部構成例について説明する。
テレビジョン装置１は、制御部１１、チューナ１２、ＨＤＭＩ通信部１３、ＨＤＭＩ端子１４、リモコン受信部１５、信号分離部１６、映像表示部１７、音声出力部１８及び信号切り替え部１９を備える。
【００４６】
制御部１１は、図には示さないが、テレビジョン装置１の制御プログラムを実行するＣＰＵ、当該プログラムの実行に伴うデータを記憶する揮発性メモリ又は不揮発性メモリ、当該プログラムを記憶する不揮発性メモリ等を備え、制御部１１は、当該プログラムに従ってテレビジョン装置１の各部の動作を制御する。また制御部１１は、図には示さないがＨＤＤを有する。
【００４７】
制御部１１は、メニュー画面生成の機能を有する。本機能は、ＨＤＭＩ端子に接続されたＨＤＭＩ規格対応の外部機器からＣＥＣコマンドの外部接続端子状態通知コマンドを受信し、当該コマンドに基づいて更新した外部接続端子テーブルを用いて、映像表示部１７を介してユーザにメニュー画面を提示する。ユーザは、メニュー画面を操作することによって、テレビジョン装置１の入力切り替えを選択することができる。メニュー画面生成の機能については後述する。
【００４８】
チューナ１２は、地上波放送、衛星放送又は有線放送等の各種の放送信号を受信し、放送信号を復調及びデコードし、映像及び音声データを生成する処理を実行する。チューナ１２は、生成した映像及び音声データを信号分離部１６へ与える。信号分離部１６は、受け取った映像及び音声データを映像データと音声データとに分離し、分離したデータをそれぞれ映像表示部１７及び音声出力部１８へ与える。
【００４９】
ＨＤＭＩ端子１４の内のＨＤＭＩ１は、ＨＤＭＩケーブルを介して、光ディスク装置２のＨＤＭＩ端子２４に接続されている。ＨＤＭＩ通信部１３及び制御部１１にはＨＤＭＩ端子１４が接続されている。ＨＤＭＩ通信部１３は、ＨＤＭＩ端子１４を介して、光ディスク装置２との間でＨＤＭＩデータを送受信する処理を行う。
【００５０】
ＨＤＭＩ端子１４は、光ディスク装置２から受信したデータに含まれるＣＥＣコマンドを制御部１１へ与える。さらに、ＨＤＭＩ端子１４は、光ディスク装置２から受信したＨＤＭＩデータをＨＤＭＩ通信部１３へ与える。ＨＤＭＩ通信部１３は、受け取ったＨＤＭＩデータを映像及び音声データに変換し、信号分離部１６へ送る。信号分離部１６は、ＨＤＭＩ通信部１３から受け取った映像及び信号データをそれぞれ映像表示部１７及び音声出力部１８へ与える。
【００５１】
映像表示部１７は、液晶パネル又はプラズマパネル等から構成される表示部（図示せず）を備え、信号分離部１６から受け取った映像データに基づいて映像を表示部に表示する。音声出力部１８は、スピーカ又は音声出力端子（図示せず）を備え、信号分離部１６から受け取った音声データに基づいて音声をスピーカ又は音声出力端子から出力する。
【００５２】
このようにして、テレビジョン装置１は、光ディスク装置２から受信した映像及び音声データを含むＨＤＭＩデータに基づいて映像及び音声データを生成し、それらに対応する映像及び音声を表示部及びスピーカ等から出力する。
【００５３】
リモコン受信部１５は、ユーザが操作するリモコン３からチャンネル、音量の設定等の各種操作に係わる操作信号を受信し、制御部１１に与える。またリモコン受信部１５は、ＨＤＭＩ端子の切り替えに係わる操作信号を受信し制御部１１に与える。制御部１１は、当該信号に基づき切り替えコマンドを生成する。
【００５４】
制御部１１は、生成した切り替えコマンドをＨＤＭＩ通信部１３に与える一方、ＨＤＭＩ端子１４を介して光ディスク装置２から受信したＨＤＭＩデータをＨＤＭＩ通信部１３へ与える。ＨＤＭＩ通信部１３は、光ディスク装置２から受信したＨＤＭＩデータを映像及び音声データに変換し、変換後の映像及び音声データを信号分離部１６へ送る。信号分離部１６は、ＨＤＭＩ通信部１３から受け取った映像及び音声データをそれぞれ映像表示部１７及び音声出力部１８へ与える。
【００５５】
ＣＥＣ機能によれば、テレビジョン装置１は、リモコン３におけるボタン操作の内容を、ＨＤＭＩケーブル４を介して光ディスク装置２に送信する。そのため、ユーザはリモコン３と光ディスク装置２用のリモコンを持ち替えることなく、光ディスク装置２及びテレビジョン装置１の操作をリモコン３だけで行うことができる。つまり、ユーザにとっては、リモコン３を操作するだけで、テレビジョン装置１及び光ディスク装置２の両方を一斉に操作することができる。
【００５６】
図３は、テレビジョン装置用のリモコンの操作によって、テレビジョン装置にＨＤＭＩ接続されている光ディスク装置の操作を実現する機能を示す説明図である。
本機能によれば、リモコン３を用いて光ディスク装置２に対する各種操作信号をテレビジョン装置１に送信すると、テレビジョン装置１は、ＨＤＭＩケーブル４を介して受信した操作信号に対応する操作コマンドをＣＥＣコマンドとして光ディスク装置２に送信する。操作コマンドを受信した光ディスク装置２は、当該操作コマンドに従って自装置に対して再生動作、録画動作等を実行する。すなわち、リモコン３の操作によってテレビジョン装置１で生成された操作コマンドはテレビジョン装置１をスルーして光ディスク装置２に送信され、操作コマンドを受信した光ディスク装置２は当該操作コマンドに従って自装置に対する各種機器操作を自動的に実行する。尚、図中の矢印は、テレビジョン装置１から光ディスク装置２に送信されるＣＥＣコマンドの流れを示す。
【００５７】
図４は、光ディスク装置の再生ボタンに連動して、光ディスク装置にＨＤＭＩ接続されているテレビジョン装置の電源をオンにする機能を示す説明図である。
本機能によれば、ユーザは光ディスク装置２に光ディスク２ｄを装填し再生ボタンを操作すると、光ディスク装置２は、ＨＤＭＩケーブル４を介して、テレビジョン装置１に対してテレビジョン装置１の電源をオンにさせるＣＥＣコマンドを送信すると共に、ＨＤＭＩ端子１４をＨＤＭＩ１に切り替えさせるＣＥＣコマンドを送信する。尚、図中の矢印は、光ディスク装置２からテレビジョン装置１に送信されるＣＥＣコマンドの流れを示す。
【００５８】
図５は、テレビジョン装置の電源をオフにすると、テレビジョン装置にＨＤＭＩ接続された光ディスク装置も連動して電源オフにする機能を示す説明図である。
本機能によれば、ユーザはテレビジョン装置１及び複数の光ディスク装置２ａ及び２ｂを利用した後、テレビジョン装置１用のリモコン３を用いてテレビジョン装置１の電源をオフにすると、テレビジョン装置１は、ＨＤＭＩケーブル４を介して、光ディスク装置２ａ及び２ｂに対して光ディスク装置２ａ及び２ｂの電源をオフにさせるＣＥＣコマンドを送信する。当該ＣＥＣコマンドを受信した光ディスク装置２ａ及び２ｂは、一斉に自装置の電源をオフにする。尚、図中の矢印は、テレビジョン装置１から光ディスク装置２に送信されるＣＥＣコマンドの流れを示す。
【００５９】
上述したように、ＣＥＣコマンドによれば、テレビジョン装置１と光ディスク装置２とは連動して互いの機器を制御することができる。例えば、図４において、ユーザが光ディスク装置２に光ディスク２ｄを挿入し再生ボタンを操作すると、その操作に連動して、テレビジョン装置１の電源オン及びＨＤＭＩ端子の切り替えが自動的に実行される。さらには、ユーザがテレビジョン装置１の電源をオフに切り替えると、光ディスク装置２ａ及び２ｂの電源もそれに連動してオフになる。
【００６０】
ＨＤＭＩ規格のＣＥＣ機能によれば、例えばテレビジョン装置１又は光ディスク装置２の機器状態と光ディスク装置２又はテレビジョン装置１の機器状態とが連動して変化するため、ユーザは面倒なリモコン操作及び機器毎の設定を行う必要がなくなり、ユーザは面倒なリモコンの持ち替え及び複雑なボタン操作から開放され、より簡単な操作でテレビジョン装置１及び光ディスク装置２を利用することができる。
【００６１】
次に、テレビジョン装置１の制御部１１が有するメニュー画面生成機能について説明する。
図６はテレビジョン装置用のリモコンの外観例を示す説明図、図７はテレビジョン装置に表示されるメニュー画面の一例を示す説明図である。
【００６２】
図６において、テレビジョン装置１用のリモコン３には入力切り替えボタン３ａ、電源ボタン３ｂが設けられている。リモコン３にはこの他に様々な種類のボタンが設けられているが、本実施形態とは特に関係しないため、それらのボタンの説明は省略する。
図６を参照すると、ユーザがテレビジョン装置１のＨＤＭＩ端子の入力切り替えを変更したいときには、リモコン３の入力切り替えボタン３ａを押下することにより、所望のＨＤＭＩ端子に切り替える。図７によれば、メニュー画面１ａには、入力１〜入力４、レコーダ（光ディスク装置）、入力６、入力７及びネットワークが表示され、ユーザは、これらの中から外部入力を選択することができる。
【００６３】
リモコン３の入力切り替えボタン３ａがユーザにより押下されると、図７に示すように、テレビジョン装置１の制御部１１は、メニュー画面生成機能を起動し、メニュー画面１ａをテレビジョン装置１の映像表示部１７の少なくとも一部に表示する。メニュー画面１ａは、ユーザに入力切り替え先の機器を選択させるための一覧画面である。本図では、映像表示部１７の右上部にメニュー画面１ａが表示される。
【００６４】
例えば、電源オンの外部機器がＨＤＭＩケーブル４を介してテレビジョン装置１に接続された場合、又はＨＤＭＩケーブル４で既にテレビジョン装置１に接続されている光ディスク装置２等の外部機器の電源がオンになった場合、外部機器の情報がＨＤＭＩ端子状態通知コマンドとしてテレビジョン装置１へ送信される。外部機器の情報とは、プラグイン状態、外部機器の名称等である。
【００６５】
テレビジョン装置１の制御部１１は、ＨＤＭＩ端子テーブル（図示せず）を有し、外部機器からＣＥＣコマンドとしてＨＤＭＩ端子状態通知コマンドを受け取ると、ＨＤＭＩ端子テーブルにＨＤＭＩ端子の種別、ＨＤＭＩ端子の情報を各ＨＤＭＩ端子に対応付けて記憶する。ここで、制御部１１は、初めてＨＤＭＩ端子状態通知コマンドを受信した外部機器に対しては、その外部機器から物理アドレスを取得すると共に、その外部機器に対応する新たなＨＤＭＩ端子テーブルを生成して、受信したＨＤＭＩ端子の種別、ＨＤＭＩ端子の情報を各ＨＤＭＩ端子に対応付けて記憶する。
【００６６】
制御部１１が有するメニュー画面生成機能は、以下のようにメニュー画面１ａを作成する。
まず、制御部１１は、テレビジョン装置１が有するＨＤＭＩ端子に対応するＨＤＭＩ端子テーブルを参照して、外部機器が接続されているＨＤＭＩ端子を抽出し、ＨＤＭＩ端子に接続されている外部機器の名称を取り出して一覧表を作成する。次いで、制御部１１は、作成した一覧表に基づきメニュー画面１ａを生成し、メニュー画面１ａを映像表示部１７に表示させる。
そして、ユーザがリモコン３を用いてメニュー画面１ａの中から所望の外部入力を選択すると、制御部１１は、選択された外部入力に対応する外部機器が、ＨＤＭＩケーブル４を介してテレビジョン装置１のＨＤＭＩ端子に接続されている外部機器である場合、信号切り替え部１９に指示信号を与え、その外部機器からの入力信号を受け付けるようにＨＤＭＩ通信部１３を制御する。
以上が、テレビジョン装置１の制御部１１が有するメニュー画面生成機能の内容である。
【００６７】
次に、光ディスク装置の再生を開始し、その後再生動作を停止し、再び、再生動作を再開した場合、再生停止位置から再生を再開させる処理をＣＥＣ機能により実現する形態について説明する。本処理は、一般に、レジュームと呼ばれる。
【００６８】
図１及び図２に示すように、テレビジョン装置１のＨＤＭＩ端子と光ディスク装置２のＨＤＭＩ端子とがＨＤＭIケーブル４を介して接続されており、テレビジョン装置１と光ディスク装置２との間のデータ送受信はＨＤＭＩケーブル４を介して行われているとする。ここで、テレビジョン装置１のＨＤＭＩ端子の内のＨＤＭＩ１と光ディスク装置２のＨＤＭＩ端子とがＨＤＭＩケーブル４を介して接続されている。また、光ディスク装置２はレジューム機能を搭載している。
【００６９】
図８は、光ディスクの再生時に、テレビジョン装置用のリモコン、テレビジョン装置及び光ディスク装置間で送受信される操作信号、映像及び音声データ、ＣＥＣコマンド等の処理の流れの一例を模式的に示すフローチャートである。
【００７０】
ユーザはテレビジョン装置１用のリモコン３を操作して再生指示信号（再生開始指令）をテレビジョン装置１に送信する（Ｓ１０１）。テレビジョン装置１は、再生指示信号を受信し（Ｓ１０２）、当該再生指示信号に基づき、ＣＥＣコマンドとしてＰｌａｙコマンドを光ディスク装置２に送信する（Ｓ１０３）。Ｐｌａｙコマンドとは、光ディスク装置２に対して光ディスクの再生を指示するコマンドである。光ディスク装置２は、Ｐｌａｙコマンドを受信し（Ｓ１０４）、次いで、ＣＥＣコマンドとして切り替えコマンドをテレビジョン装置１に送信する（Ｓ１０５）。切り替えコマンドとは、テレビジョン装置１の外部入力を切り替えるコマンドである。テレビジョン装置１は、切り替えコマンドを受信すると（Ｓ１０６）、当該切り替えコマンドに従い外部入力をＨＤＭＩ１に切り替える（Ｓ１０７）。
【００７１】
光ディスク装置２は、ステップＳ１０５にて切り替えコマンドを送信した後に所定時間経過したか否かを判定し（Ｓ１０８）、所定時間が経過しない場合には（Ｓ１０８：ＮＯ）、ステップＳ１０８に戻り、所定時間が経過するまで待機し、所定時間が経過した場合には（Ｓ１０８：ＹＥＳ）、光ディスクの再生を開始する（Ｓ１０９）。そして、光ディスク装置２は、再生動作により得られた映像及び音声データをＨＤＭＩデータとしてテレビジョン装置１に送信する（Ｓ１１０）。
テレビジョン装置１は、ＨＤＭＩデータとして送信された映像及び音声データを受信し（Ｓ１１１）、受信した映像及び音声データに従い映像表示及び音声出力を行う（Ｓ１１２）。
【００７２】
さて、上記処理に引き続き行われる処理として、光ディスク装置２の再生中に再生動作を停止し、再び、再生動作を再開した場合、再生停止位置から再生を再開させる処理をＣＥＣ機能により実現する形態について説明する。
図９は、光ディスクの再生停止時に、テレビジョン装置用のリモコン、テレビジョン装置及び光ディスク装置間で送受信される操作信号、映像及び音声データ、ＣＥＣコマンド等の処理の流れの一例を模式的に示すフローチャートである。
【００７３】
ユーザはテレビジョン装置１用のリモコン３を操作して入力切り替え信号をテレビジョン装置１に送信する（Ｓ２０１）。入力切り替え信号は、例えば、外部入力をＨＤＭＩ１からテレビジョン装置１に切り替えるための信号であり、光ディスク装置２に関する再生停止信号に相当する。テレビジョン装置１は、入力切り替え信号を受信し（Ｓ２０２）、入力切り替え信号に基づき、外部入力をＨＤＭＩ１からテレビジョン装置１に切り替える（Ｓ２０３）。次いで、テレビジョン装置１は、ＣＥＣコマンドとしてＳｔｏｐコマンドを光ディスク装置２に送信する（Ｓ２０４）。Ｓｔｏｐコマンドとは、光ディスク装置２に対して光ディスク２ｄの再生停止を指示するコマンドである。光ディスク装置２は、Ｓｔｏｐコマンドを受信すると（Ｓ２０５）、光ディスク２ｄの再生を停止し（Ｓ２０６）、再生停止時のレジューム情報を取得する（Ｓ２０７）。ここで、レジューム情報とは、再生装置が再生を停止したデータにおけるアドレス又は時間情報である。光ディスク装置２は、取得したレジューム情報を不揮発性メモリ又はＨＤＤ２７に記憶する。すなわち、光ディスク装置２は光ディスク２ｄを再生している途中にＳｔｏｐコマンドを受信した場合、再生中のコンテンツのＩＤ番号、再生時間、記録媒体における再生停止位置のトラック番号、セクタ番号等の情報を取得し、一旦、不揮発性メモリ又はＨＤＤ２７に記憶させる。こうして先々行われるかもしれないレジュームの準備が整うと、ユーザはテレビジョン装置１でテレビ放送の視聴を開始することができる（Ｓ２０８）。
【００７４】
ユーザがテレビ放送の視聴を止め、光ディスク２ｄの再生を再開する場合、ユーザは、リモコン３を操作して入力切り替え信号をテレビジョン装置１に送信する（Ｓ２０９）。この入力切り替え信号は、外部入力をテレビジョン装置１からＨＤＭＩ１に切り替えるための信号である。テレビジョン装置１は、入力切り替え信号を受信し（Ｓ２１０）、入力切り替え信号に従い外部入力をＨＤＭＩ１に切り替える（Ｓ２１１）。次いで、テレビジョン装置１は、ＣＥＣコマンドとしてＰｌａｙコマンドを光ディスク装置２に送信する（Ｓ２１２）。光ディスク装置２は、Ｐｌａｙコマンドを受信し（Ｓ２１３）、Ｐｌａｙコマンドに従い光ディスクの再生を再開する（Ｓ２１４）。ここで、光ディスク装置２は、ステップＳ２０７で取得し不揮発性メモリ又はＨＤＤ２７に記憶したレジューム情報を参照することにより、ステップＳ２０６における再生停止位置から映像及び音声データの再生を開始する。
【００７５】
光ディスク装置２は、再生した映像及び音声データをＨＤＭＩデータとしてテレビジョン装置１に送信する（Ｓ２１５）。テレビジョン装置１は、映像及び音声データを受信し（Ｓ２１６）、映像及び音声データに従い映像表示及び音声出力を行う（Ｓ２１７）。
【００７６】
上述したレジューム機能を搭載した光ディスク装置２においては、光ディスク２ｄを再生している途中に再生を中断してテレビ放送を視聴しようとするユーザの指示に従い、再生停止を指示するＳｔｏｐコマンドがテレビジョン装置１から光ディスク装置２に送信される。Ｓｔｏｐコマンドを受信した光ディスク装置２は、次回の途中再生に備えてレジューム情報を不揮発性メモリ又はＨＤＤ２７に記憶する。その後、テレビ放送の視聴を止めて光ディスク２ｄを再生しようとするユーザの指示に従い、再生開始を指示するＰｌａｙコマンドがテレビジョン装置１から光ディスク装置２に送信されると、光ディスク装置２は、不揮発性メモリ又はＨＤＤ２７に記憶されているレジューム情報を参照して、Ｓｔｏｐコマンドにより再生を停止した位置から再生を開始する。
【００７７】
実施の形態１によれば、テレビジョン装置１用のリモコン３を用いるだけで、光ディスク装置２に搭載されているレジューム機能を自動的に活用することができる。
【００７８】
尚、上記の構成は、テレビジョン装置１と光ディスク装置２とがＨＤＭＩケーブルにより接続された構成であるが、テレビジョン装置１と光ディスク装置２とが一体的に構成された一体型装置であってもよい。
【００７９】
実施の形態２
図１０は、実施の形態２に係るデータ再生システムの外観例を示す説明図である。データ再生システムでは、テレビジョン装置（出力装置）１のＨＤＭＩ端子の内のＨＤＭＩ２と光ディスク装置（再生装置）５のＨＤＭＩ端子とがＨＤＭＩケーブル４を介して接続されている。また、テレビジョン装置１は、ユーザが操作するテレビジョン装置１用のリモコン３から操作指示を受け付ける構成になっている。
【００８０】
以下、光ディスク装置５の再生を開始し、その後再生動作を停止し、再び、再生動作を再開した場合、再生停止位置から再生を再開させる処理をＣＥＣ機能により実現する形態について説明する。実施の形態２の構成は実施の形態１と略同一であり、その説明を省略する。ただし、実施の形態２では、光ディスク装置５は、レジューム機能を搭載していない点で実施の形態１における光ディスク装置２とは異なる。
【００８１】
図１１は、光ディスクの再生時に、テレビジョン装置用のリモコン、テレビジョン装置及び光ディスク装置間で送受信される操作信号、映像及び音声データ、ＣＥＣコマンド等の処理の流れの一例を模式的に示すフローチャートである。
【００８２】
ユーザはテレビジョン装置１用のリモコン３を操作して再生指示信号をテレビジョン装置１に送信する（Ｓ３０１）。テレビジョン装置１は、再生指示信号を受信し（Ｓ３０２）、当該再生指示信号に基づき、ＣＥＣコマンドとしてＰｌａｙコマンドを光ディスク装置５に送信する（Ｓ３０３）。Ｐｌａｙコマンドとは、光ディスク装置５に対して光ディスクの再生を指示するコマンドである。光ディスク装置５は、Ｐｌａｙコマンドを受信し（Ｓ３０４）、次いで、ＣＥＣコマンドとして切り替えコマンドをテレビジョン装置１に送信する（Ｓ３０５）。切り替えコマンドとは、テレビジョン装置１の外部入力を切り替えるコマンドである。テレビジョン装置１は、切り替えコマンドを受信すると（Ｓ３０６）、当該切り替えコマンドに従い外部入力をＨＤＭＩ２に切り替える（Ｓ３０７）。
【００８３】
光ディスク装置５は、ステップＳ３０５にて切り替えコマンドを送信した後に所定時間経過したか否かを判定し（Ｓ３０８）、所定時間が経過しない場合には（Ｓ３０８：ＮＯ）、ステップＳ３０８に戻り、所定時間が経過するまで待機し、所定時間が経過した場合には（Ｓ３０８：ＹＥＳ）、光ディスクの再生を開始する（Ｓ３０９）。そして、光ディスク装置５は、再生動作により得られた映像及び音声データをＨＤＭＩデータとしてテレビジョン装置１に送信する（Ｓ３１０）。
テレビジョン装置１は、ＨＤＭＩデータとして送信された映像及び音声データを受信し（Ｓ３１１）、受信した映像及び音声データに従い映像表示及び音声出力を行う（Ｓ３１２）。
【００８４】
次に、上記処理に引き続き行われる処理として、光ディスク装置５の再生中に再生動作を停止し、再び、再生動作を再開した場合、再生停止位置から再生を再開させる処理をＣＥＣ機能により実現する形態について説明する。
図１２は、光ディスクの再生停止時に、テレビジョン装置用のリモコン、テレビジョン装置及び光ディスク装置間で送受信される操作信号、映像及び音声データ、ＣＥＣコマンド等の処理の流れの一例を模式的に示すフローチャートである。
【００８５】
ユーザはテレビジョン装置１用のリモコン３を操作して入力切り替え信号をテレビジョン装置１に送信する（Ｓ４０１）。入力切り替え信号は、例えば、外部入力をＨＤＭＩ２からテレビジョン装置１に切り替えるための信号であり、光ディスク装置５に関する再生停止信号に相当する。テレビジョン装置１は、入力切り替え信号を受信し（Ｓ４０２）、入力切り替え信号に基づき、外部入力をＨＤＭＩ２からテレビジョン装置１に切り替える（Ｓ４０３）。次いで、テレビジョン装置１は、ＣＥＣコマンドとして拡張Ｓｔｏｐコマンドを光ディスク装置５に送信する（Ｓ４０４）。拡張Ｓｔｏｐコマンドとは、光ディスク装置５に対して光ディスクの再生停止を指示するコマンドであり、Ｓｔｏｐコマンドの機能が拡張されたコマンドである。
【００８６】
光ディスク装置５は、拡張Ｓｔｏｐコマンドを受信すると（Ｓ４０５）、光ディスク５ｄの再生を停止し（Ｓ４０６）、再生中のコンテンツのＩＤ番号及び再生開始位置に関する再生再開情報を取得し、当該再生再開情報をＣＥＣコマンドとしてテレビジョン装置１に送信する（Ｓ４０７）。テレビジョン装置１は、再生再開情報を受信し、制御部１１内の不揮発性メモリ又はＨＤＤに記憶する。すなわち、光ディスク装置５は光ディスク５ｄを再生している途中にＳｔｏｐコマンドを受信した場合、再生中のコンテンツのＩＤ番号及び再生開始位置に関する再生再開情報を取得し、それをテレビジョン装置１に送信し、テレビジョン装置１は、受信した再生再開情報を一旦記憶する（Ｓ４０８）。こうして再生再開情報の準備が整うと、ユーザはテレビジョン装置１でテレビ放送の視聴を開始することができる（Ｓ４０９）。
【００８７】
ユーザがテレビ放送の視聴を止め、光ディスク５ｄの再生を再開する場合、ユーザはリモコン３を操作して入力切り替え信号をテレビジョン装置１に送信する（Ｓ４１０）。この入力切り替え信号は、外部入力をテレビジョン装置１からＨＤＭＩ２に切り替えるための信号である。テレビジョン装置１は、入力切り替え信号を受信し（Ｓ４１１）、入力切り替え信号に従い外部入力をＨＤＭＩ２に切り替える（Ｓ４１２）。次いで、テレビジョン装置１は、ＣＥＣコマンドとして拡張Ｐｌａｙコマンドを光ディスク装置５に送信する（Ｓ４１３）。拡張Ｐｌａｙコマンドとは、光ディスク装置５に対して光ディスク５ｄの再生を指示するコマンドであり、Ｐｌａｙコマンドの機能が拡張されたコマンドである。拡張Ｐｌａｙコマンドの内部のデータ領域には、再生停止したコンテンツのＩＤ番号及び再生開始位置に関する再生再開情報が含まれている。テレビジョン装置１は、再生再開情報を不揮発性メモリ又はＨＤＤから読み取り、拡張Ｐｌａｙコマンドのデータ領域に格納する。
【００８８】
光ディスク装置５は、拡張Ｐｌａｙコマンドを受信し（Ｓ４１４）、拡張Ｐｌａｙコマンドのデータ領域に格納されている再生再開情報を参照して、光ディスク５ｄの再生を再開する（Ｓ４１５）。
光ディスク装置５は、再生した映像及び音声データをＨＤＭＩデータとしてテレビジョン装置１に送信する（Ｓ４１６）。テレビジョン装置１は、映像及び音声データを受信し（Ｓ４１７）、当該映像及び音声データに従い映像表示及び音声出力を行う（Ｓ４１８）。
【００８９】
上述したレジューム機能を搭載しない光ディスク装置５においては、光ディスク５ｄを再生している間に再生を中断してテレビ放送を視聴しようとするユーザの指示に従い、再生停止を指示する拡張Ｓｔｏｐコマンドがテレビジョン装置１から光ディスク装置５に送信される。拡張Ｓｔｏｐコマンドを受信すると、テレビジョン装置１は、次回の再生に備えて再生再開情報を不揮発性メモリ又はＨＤＤに記憶する。テレビ放送の視聴を止めて光ディスクを再生しようとするユーザの指示に従い、テレビジョン装置１は、再生開始を指示する拡張Ｐｌａｙコマンドを光ディスク装置５に送信する。拡張Ｐｌａｙコマンドのデータ領域には、不揮発性メモリ又はＨＤＤから読み取られた再生再開情報が格納されている。光ディスク装置５は、その再生再開情報を参照して光ディスク５ｄの再生を再開する。
【００９０】
実施の形態２では、テレビジョン装置１が光ディスク装置５に対して拡張Ｓｔｏｐコマンドを送信することにより、テレビジョン装置１は再生再開情報を光ディスク５から取得し、一旦記憶する。その後、再生停止位置から光ディスク５ｄの再生を再開する場合、テレビジョン装置１は、再生再開情報をデータ領域の中に含んだ拡張Ｐｌａｙコマンドを光ディスク装置５に送信する。拡張Ｐｌａｙコマンドを受信した光ディスク装置５は、拡張Ｐｌａｙコマンドのデータ領域に含まれている再生再開情報を参照し、再生停止位置から光ディスク５ｄの再生を開始する。
【００９１】
実施の形態２によれば、テレビジョン装置１が再生再開情報を記憶し、当該再生再開情報を含んだ拡張Ｐｌａｙコマンドを光ディスク装置５に送信するため、レジューム機能を搭載していない光ディスク装置５であっても、当該再生再開情報を参照すれば、再生停止位置から再生を開始することができる。例えば、ＢＤ−Ｊ（ブルーレイ・ディスク・ジャバ）ではレジューム機能を使用することができないため、実施の形態２は、ＢＤ−Ｊディスクを再生する際に特に有効である。
【００９２】
尚、上記の構成は、テレビジョン装置１と光ディスク装置２又は５とがＨＤＭＩケーブルにより接続された構成であるが、テレビジョン装置１と光ディスク装置２又は５とが同一筐体に設置された一体型の装置であってもよい。一体型の装置としては、例えば、ブルーレイディスク内蔵型テレビが挙げられる。
【００９３】
また、実施の形態１及び２では、テレビジョン装置１を映像表示装置の例として挙げたが、映像表示装置としては、パーソナルコンピュータ用のモニタ又はプロジェクタであってもよい。また、実施の形態１及び２では、映像及び音声データを再生することができる光ディスク装置５を例として挙げたが、ＵＳＢ（Universal Serial Bus）メモリを記憶機器として利用した音声データ専用の再生装置であってもよい。さらに、実施の形態１及び２では、データの種類として映像及び音声データを挙げたが、それらに限定されず、コンピュータが処理できるデータであれば他の種類のデータであってもよい。
【００９４】
変形例
実施の形態２では、テレビジョン装置１用のリモコン３を介して光ディスク装置５を制御する例を示したが、光ディスク装置５用のリモコンを用いて実施の形態２に類似する制御を行ってもよい。図には示さないが、光ディスク装置５は、例えば、以下に示す構成であってもよい。
【００９５】
光ディスク装置５は、映像及び音声データの再生中又は再生停止中に光ディスク装置５用のリモコンから再生停止指示信号又は再生開始指示信号をそれぞれ受信するリモコン受信部と、受信した再生停止指示信号又は再生開始指示信号それぞれに対応する再生停止コマンド又は再生開始コマンド、又は再生中のデータを外部装置に送信する送信部と、データの再生中に受信部が再生停止指示信号を受信した場合、データの再生を停止する停止部と、データを再生する再生部とを備える。ここで、送信部は、停止部による再生停止時の再生停止位置を外部装置に送信するようにしてあり、再生部は、データの再生停止中にリモコン受信部が再生開始指示信号を受信した場合、外部装置から受信した再生停止位置から再生を行うようにする。この構成により、光ディスク装置５がレジューム機能を有していない場合であっても、外部装置から送信された再生停止位置にしたがってレジュームを実現することができる。
【００９６】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００９７】
１  テレビジョン装置
２  光ディスク装置
３  リモコン
４  ＨＤＭＩケーブル
１１  制御部
１２  チューナ
１３  ＨＤＭＩ通信部
１４  ＨＤＭＩ端子
１５  リモコン受信部
１６  信号分離部
１７  映像表示部
１８  音声出力部
１９  信号切り替え部
２１  制御部
２３  ＨＤＭＩ通信部
２４  ＨＤＭＩ端子
２５  リモコン受信部
２６  処理部
２７  ＨＤＤ
２８  光ディスクドライブ
【図１】
2011250112.tif 000003
【図２】
2011250112.tif 000004
【図３】
2011250112.tif 000005
【図４】
2011250112.tif 000006
【図５】
2011250112.tif 000007
【図６】
2011250112.tif 000008
【図７】
2011250112.tif 000009
【図８】
2011250112.tif 000010
【図９】
2011250112.tif 000011
【図１０】
2011250112.tif 000012
【図１１】
2011250112.tif 000013
【図１２】
2011250112.tif 000014